(57)【要約】【課題】簡単な工程で、ＰＴＰシートに収容された錠剤等の薬剤を安全に収容し、不用意な取り出しを防止したＰＴＰシート用包装体を提供する。【解決手段】ＰＴＰシート３６に取り付ける台紙形成片１２は、ＰＴＰシート３６の突出部３８ａ側のフランジ部３８ｂの面に重ねられる第１側面１４と、第１側面１４に折罫線を介して連接しフランジ部３８ｂの反対側の面に重ねられる第２側面２４とを備える。第１側面１４には、突出部３８ａが挿通される孔部１６を有する。第２側面２４には、突出部３８ａの開口に対向する部分にカバー部２８を備える。カバー部２８は、ＰＴＰシート３６を包んだ時に外側となる表面１２ａに、台紙形成片１２の厚みの一部を切断する半切り線で作られたカバー部用半切り線３２と、台紙形成片１２の裏面１２ｂに、カバー部用半切り線３２の近傍に沿って半切り線で作られた孔部用半切り線３４とを有する。【選択図】図４
2015101393.tif 000002
【特許請求の範囲】
【請求項１】
薬剤等の商品を内側に収容した複数の突出部と前記突出部の周囲に設けられたフランジ部を有するプラスチック成形体に、破断可能なシートが取り付けられて前記突出部の開口が閉鎖されたＰＴＰシートに取り付ける台紙形成片からなり、前記台紙形成片には、前記突出部が突出する側の前記フランジ部の面に重ねられる第１側面と、前記第１側面に折罫線を介して連接し前記フランジ部の反対側の面に重ねられる第２側面が設けられ、前記第１側面には、前記突出部が挿通される孔部が設けられ、前記第２側面には、前記突出部の開口に対向する部分にカバー部が設けられ、前記カバー部は、ＰＴＰシートを包んだ時に外側となる表面に前記台紙形成片の厚みの一部を切断する半切り線で作られたカバー部用半切り線と、前記表面と反対側の裏面に前記カバー部用半切り線の近傍に沿って半切り線で作られた孔部用半切り線とで、囲まれて周囲と区分され、前記カバー部は、前記カバー部用半切り線と前記孔部用半切り線を切断して取り外すと前記第２側面に取出用開口形成部が形成されるものであり、前記カバー部の周縁部の一部は外側に突出する摘み部となり、前記摘み部の周囲には前記第２側面が切り取られ前記摘み部を摘みやすくする空間が設けられ、前記空間は前記ＰＴＰシートの外側に位置していることを特徴とするＰＴＰシート用包装体。
【請求項２】
前記空間は、前記第２側面に設けられた開け口であり、前記第２側面には、前記カバー部が複数個の２列に設けられ、前記摘み部は、一対の列の互いに外側に設けられ、前記開け口は前記摘み部のさらに外側に設けられている請求項１記載のＰＴＰシート用包装体。
【請求項３】
前記カバー部の周縁部の一部は、前記台紙形成片の厚みの全部を切断する全切り線で作られた略コの字形のカバー部用全切り線で区切られ、前記カバー部用全切り線の内側が前記摘み部となり、前記第１側面には、前記摘み部を押す押込部が、押込部用全切り線と折曲用全切り線で区切られて設けられ、前記第１側面側から前記押込部を押すことにより前記カバー部用全切り線が分断されて前記摘み部が前記第２側面から立ち上がり、そのあとに、前記空間である開け口が形成される請求項１記載のＰＴＰシート用包装体。
【請求項４】
前記カバー部は、前記第２側面の側縁部または前記第１側面との間の前記折罫線に交差して達する形状であり、前記カバー部の前記側縁部または前記折罫線に一致する部分は前記摘み部となり、前記側縁部または前記折罫線の周辺部は、前記摘み部の周囲で切り込まれ前記空間が設けられている請求項１記載のＰＴＰシート用包装体。
【請求項５】
前記第１側面と前記第２側面は、前記カバー部を除いた狭い面積に糊が塗付され、前記ＰＴＰシートを挟んで互いに接着されて前記ＰＴＰシートを包装する請求項１記載のＰＴＰシート用包装体。
【発明の詳細な説明】
【技術分野】
【０００１】
この発明は、ＰＴＰシートに台紙を取り付けて包装したＰＴＰシート用包装体に関する。
【背景技術】
【０００２】
従来、錠剤の包装技術としてＰＴＰシートがある。ＰＴＰシートは、合成樹脂で作られたプラスチック成形体を有し、プラスチック成形体には、錠剤を収容する空間を有した突出部と、突出部の周縁部に形成された平板部が１体に成形されている。ＰＴＰシートは、突出部と反対側の面にアルミ箔等の破断可能なシートが貼り付けられて、突出部の空間が閉鎖され、錠剤を密閉している。錠剤を取り出すときは、突出部を指で押し、錠剤をシートに押し付けてシートを破断し、破断した部分から取り出すものである。
【０００３】
ＰＴＰシートには、紙製等の台紙を取り付け、錠剤の取り出しを難しくし、子供が容易にシートを破断できないようにしたものがある。例えば、特許文献１に開示されている子供が悪戯できないブリスターパックは、台紙形成片からなり、台紙形成片にはＰＴＰシートの突出部が突出する側の面に重ねられる第１側面と、第１側面に折罫線を介して連接しＰＴＰシートの反対側の面に重ねられる第２側面が設けられている。第１側面には、ＰＴＰシートの突出部が挿通される孔部と、破断線で囲まれたタブが設けられている。第２側面には、台紙形成片を折罫線で二つ折りした時に孔部とタブを覆う切り取り部が半切り線で区切られて設けられている。このような台紙形成片を、裏面全体に接着剤を塗布してＰＴＰシートに二つ折りの状態で貼り付ける。これにより、ＰＴＰシートのシートは第２側面により保護され、子供が触っても錠剤を取り出すことができない。ＰＴＰシートから錠剤を取り出すときは、第１側面のタブを押して第２側面の半切り線を切断しながら切り取り部を外す。この時、第２側面が薄い剥離部となって第１側面に残るが、錠剤を押し出すと剥離部が破断され、錠剤を取り出すことができる。
【０００４】
また、特許文献２，３に開示されている包装台紙は、切り取り部が半切り線ではなく、破断線で区切られて、第２側面から取り外し可能に設けられている。そして特許文献１と同様の効果を有するものである。特に、特許文献３に開示されている包装台紙は、収容物の大きさに関係なく収容物を容易にとりだすことができるものである。
【先行技術文献】
【特許文献】
【０００５】
【特許文献１】特表２００８−５４３６９３号公報
【特許文献２】特開２０１０−６４３１号公報
【特許文献３】特開２０１１−１８４０６７号公報
【発明の概要】
【発明が解決しようとする課題】
【０００６】
上記背景技術の場合、特許文献１のブリスターパックは、台紙形成片の裏面全体に接着剤を塗布してＰＴＰシートに貼り付けるため、製造に際して手間とコストがかかるものである。また、ＰＴＰシートの突出部が挿通される孔部は複数個が２列に設けられ一対の列の間にタブが設けられているため、タブを避けてＰＴＰシートを取り付けるためにＰＴＰシートを突出部が一列になるようにカットして貼り付けなければならず、この点でも手間がかかり、作業効率が良くないものである。
【０００７】
また、特許文献２の包装台紙は、２列の孔部が所定間隔で設けられ、一般的な２列のＰＴＰシートに取り付けることが可能であるが、切り取り部以外の全面に接着剤を塗布するものである。特許文献１と同様に手間とコストがかかるものである。また、特許文献３の包装台紙も、特許文献１と同様に切り取り部以外の全面に接着剤を塗布するものであり、手間とコストがかかるものである。
【０００８】
この発明は、上記背景技術の問題点に鑑みてなされたものであり、簡単な工程で、ＰＴＰシートに収容された錠剤等の薬剤を安全に収容し、不用意な取り出しを防止したＰＴＰシート用包装体を提供することを目的とする。
【課題を解決するための手段】
【０００９】
本発明は、薬剤等の商品を内側に収容した複数の突出部と前記突出部の周囲に設けられたフランジ部を有するプラスチック成形体に、破断可能なシートが取り付けられて前記突出部の開口が閉鎖されたＰＴＰシートに取り付ける台紙形成片からなり、前記台紙形成片には、前記突出部が突出する側の前記フランジ部の面に重ねられる第１側面と、前記第１側面に折罫線を介して連接し前記フランジ部の反対側の面に重ねられる第２側面が設けられている。前記第１側面には、前記突出部が挿通される孔部が設けられている。前記第２側面には、前記突出部の開口に対向する部分にカバー部が設けられ、前記カバー部は、ＰＴＰシートを包んだ時に外側となる表面に前記台紙形成片の厚みの一部を切断する半切り線で作られたカバー部用半切り線と、前記表面と反対側の裏面に前記カバー部用半切り線の近傍に沿って半切り線で作られた孔部用半切り線とで囲まれて周囲と区分されている。前記カバー部は、前記カバー部用半切り線と前記孔部用半切り線を切断して取り外すと前記第２側面に取出用開口形成部が形成されるものであり、前記カバー部の周縁部の一部は外側に突出する摘み部となり、前記摘み部の周囲には前記第２側面が切り取られ前記摘み部を摘みやすくする空間が設けられ、前記空間は前記ＰＴＰシートの外側に位置しているＰＴＰシート用包装体である。
【００１０】
前記空間は、前記第２側面に設けられた開け口であり、前記第２側面には、前記カバー部が複数個の２列に設けられ、前記摘み部は、一対の列の互いに外側に設けられ、前記開け口は前記摘み部のさらに外側に設けられている。
【００１１】
前記カバー部の周縁部の一部は、前記台紙形成片の厚みの全部を切断する全切り線で作られた略コの字形のカバー部用全切り線で区切られ、前記カバー部用全切り線の内側が前記摘み部となり、前記第１側面には、前記摘み部を押す押込部が、押込部用全切り線と折曲用全切り線で区切られて設けられている。前記第１側面側から前記押込部を押すことにより前記カバー部用全切り線が分断されて前記摘み部が前記第２側面から立ち上がり、そのあとに、前記空間である開け口が形成されるものである。
【００１２】
前記カバー部は、前記第２側面の側縁部または前記第１側面との間の前記折罫線に交差して達する形状であり、前記カバー部の前記側縁部または前記折罫線に一致する部分は前記摘み部となり、前記側縁部または前記折罫線の周辺部は、前記摘み部の周囲で切り込まれ前記空間が設けられている。
【００１３】
前記第１側面と前記第２側面は、前記カバー部を除いた狭い面積に糊が塗付され、前記ＰＴＰシートを挟んで互いに接着されて前記ＰＴＰシートを包装するものである。
【発明の効果】
【００１４】
本発明のＰＴＰシート用包装体は、簡単な構造で錠剤を安全に収容保持し、子供が取り出すことを確実に防ぎ、成人には容易に取り出すことができる。錠剤を取り出すときに錠剤を覆うカバー部を外す際は、ＰＴＰシートが支障とならず、カバー部に設けられた摘み部を摘む操作が円滑に行われ、簡単にカバー部を外して取出用開口形成部を形成して錠剤を取り出すことができる。また、糊付工程が簡単で製造効率が良好である。
【図面の簡単な説明】
【００１５】
【図１】この発明の第１実施形態のＰＴＰシート用包装体の正面図である。
【図２】この発明の第１実施形態のＰＴＰシート用包装体の背面図である。
【図３】この発明の第１実施形態のＰＴＰシート用包装体の組み立てた状態を示す斜視図である。
【図４】この発明の第１実施形態のＰＴＰシート用包装体の使用状態を示す斜視図である。
【図５】この発明の第２実施形態のＰＴＰシート用包装体の正面図である。
【図６】この発明の第２実施形態のＰＴＰシート用包装体の背面図である。
【図７】この発明の第２実施形態のＰＴＰシート用包装体の組み立てた状態を示す斜視図である。
【図８】この発明の第２実施形態のＰＴＰシート用包装体の使用状態を示す斜視図である。
【図９】この発明の第３実施形態のＰＴＰシート用包装体の正面図である。
【図１０】この発明の第３実施形態のＰＴＰシート用包装体の背面図である。
【図１１】この発明の第３実施形態のＰＴＰシート用包装体の使用状態を示す斜視図である。
【発明を実施するための形態】
【００１６】
以下、この発明の実施形態について図面に基づいて説明する。図１〜図３はこの発明の第１実施形態を示すもので、この実施形態のＰＴＰシート用包装体１０は、紙製等の１枚のブランクシートを打ち抜いて形成された台紙形成片１２で作られている。ブランクシートの表面１２ａに、フィルム貼りされたものでもよい。
【００１７】
図１は台紙形成片１２を表面１２ａから見た展開図であり、台紙形成片１２は、矩形の第１側面１４が設けられ、第１側面１４には、後述するＰＴＰシート３６のプラスチック成形体３８の突出部３８ａが挿通される孔部１６が形成されている。孔部１６は、５個に並べられた列が２列、互いに平行に形成され、合計１０個の孔部１６が設けられている。１対の列の互いに外側には、各孔部１６の近傍でわずかに離れたところに、押込部１８が各々設けられている。押込部１８は、孔部１６に向かってコの字形に開口する押込部用全切り線２０と、押込部用全切り線２０の開口の内側に位置し開口を閉鎖する方向に位置する直線であり押込部用全切り線２０との間に切り残し部が設けられた折曲用全切り線２２で、囲まれた略矩形に形成されている。押込部用全切り線２０と折曲用全切り線２２は、台紙形成片１２の厚みを貫通する切断線である。押込部用全切り線２０の中心部分は、孔部１６から離れる方へわずかに湾曲され、押込部１８は舌片形状になっている。１０個の孔部１６に各々対応して押込部１８が１個ずつ、計１０個が設けられ、１対の列の外側に５個ずつ並んで設けられている。台紙形成片１２の表面１２ａと反対の裏面１２ｂは、図２に示すように孔部１６、押込部用全切り線２０、折曲用全切り線２２が貫通して設けられている。
【００１８】
台紙形成片１２の、孔部１６の列に対して平行な側縁部には、第１側面１４とほぼ同形の第２側面２４が連続して設けられている。第１側面１４と第２側面２４の境界線には表側の半切り線等で折罫線２６が設けられている。第２側面２４には、第１側面１４に折罫線２６で二つ折りした時に、孔部１６と押込部１８を覆うカバー部２８が設けられている。カバー部２８は、図１に示すように表面１２ａに、押込部１８の押込部用全切り線２０の少し外側に沿って形成されるコの字形のカバー部用全切り線３０と、カバー部用全切り線３０の一対の端部に環状に連続し孔部１６の少し外側に沿って円を描くカバー部用半切り線３２で囲まれている。カバー部用全切り線３０は、台紙形成片１２の厚みを貫通する切断線であり、カバー部用半切り線３２は、台紙形成片１２の厚みの約半分を切断し反対側の裏面１２ｂに達しない半切り線である。カバー部用全切り線３０の内側は摘み部２８ａとなり、カバー部用全切り線３０の中心部分はカバー部用半切り線３２から離れる方へわずかに湾曲され舌片形状となる。カバー部用半切り線３２はカバー部用全切り線３０の幅よりも少し直径が大きい円形状に沿って設けられている。
【００１９】
第２側面２４の裏面１２ｂには、図２に示すようにカバー部用全切り線３０が貫通して設けられ、カバー部用半切り線３２は、裏面１２ｂに達していない。カバー部２８の内側には、折罫線２６で第１側面１４に二つ折りした時に、孔部１６の輪郭に対向する円形の孔部用半切り線３４が設けられている。孔部用半切り線３４は、台紙形成片１２の厚みの約半分を切断し表面１２ａに達しない半切り線である。
【００２０】
次に、ＰＴＰシート用包装体１０の包装方法について説明する。ＰＴＰシート用包装体１０は、ＰＴＰシート３６に取り付けて包装するものである。ここで、ＰＴＰシート３６について説明する。ＰＴＰシート３６は、プラスチック成形体３８が設けられ、プラスチック成形体３８には、錠剤４０を収容する突出部３８ａと、突出部３８ａの周縁部のフランジ部３８ｂが設けられている。ここでは、５個の突出部３８ａが並べられた列が２列、互いに平行に形成され、合計１０個の突出部３８ａが設けられている。プラスチック成形体３８のフランジ部３８ｂには、突出部３８ａの突出方向と反対の面にアルミ箔製のシート４２が貼り付けられ、突出部３８ａが閉鎖されている。
【００２１】
次に、ＰＴＰシート用包装体１０の組立方法について説明する。まず、台紙形成片１２を展開した状態で裏面１２ｂに糊４４を塗布する。糊４４は、第１側面１４の、一対の列の押込部１８よりも外側に左右２箇所、折罫線２６に対して平行な直線で設けられている。糊４４は、両面テープを貼って設けてもよく、第２側面２４の、折罫線２６を挟んだ同じ位置に塗布してもよい。次に、台紙形成片１２の裏面１２ｂにＰＴＰシート３６をセットする。この時、ＰＴＰシート３６のプラスチック成形体３８の突出部３８ａを、台紙形成片１２の第１側面１４の孔部１６に嵌合させ、台紙形成片１２の表面１２ａへ突出させる。プラスチック成形体３８のフランジ部３８ｂの周縁部は、押込部１８の折曲用全切り線２２の近くに位置する。そして、折罫線２６を折り曲げて第２側面２４を第１側面１４に、裏面１２ｂ同士が合うように折り重ね、糊４４で接着し、図３に示すように包装が完了する。
【００２２】
ＰＴＰシート３６から錠剤４０を取り出すときは、まず図４に示すように、第２側面２４の一つのカバー部２８に対向する第１側面１４の押込部１８を、第２側面２４側へ押し込む。押込部１８は押込部用全切り線２０が分断されて第１側面１４から離れ、折曲用全切り線２２で折り曲げられて第２側面２４へ向かって折り曲げられ、この時第２側面２４のカバー部２８の摘み部２８ａを押し出し、カバー部用全切り線３０が分断されて摘み部２８ａは第２側面２４から立ち上がる。これにより、その後に、前記摘み部２８ａを摘みやすくする空間である開け口４５が形成される。開け口４５に指を入れて摘み部２８ａを保持して、第２側面２４から引き離すと、カバー部用半切り線３２の基端部と、孔部用半切り線３４の間の切残部分２８ｂが切断されて、クリック感が発生したのち、弱い力でカバー部用半切り線３２と孔部用半切り線３４が切断されてカバー部２８が第２側面２４から外れる。
【００２３】
第２側面２４のカバー部２８が外された部分の開口部は、取出用開口形成部４６となり、取出用開口形成部４６には、ＰＴＰシート３６のシート４２が露出する。取出用開口形成部４６の、孔部用半切り線３４とカバー部用半切り線３２、切残部分２８ｂで囲まれていた部分には、台紙形成片１２が作られている紙の表面１２ａが剥がされた剥離部４７となり、取出用開口形成部４６の周縁部に沿ってほぼ一定幅で残される。そして、ＰＴＰシート３６の突出部３８ａを第１側面１４側から押す。すると、錠剤４０がシート４２に押し付けられてシート４２が破断し、錠剤４０が取出用開口形成部４６から取り出される。なお、カバー部２８が第２側面２４に付いているときは、ＰＴＰシート３６の突出部３８ａを押しても錠剤４０を取り出すことができず、安全である。
【００２４】
この実施形態のＰＴＰシート用包装体１０によれば、簡単な構造で錠剤４０を安全に収容保持し、子供が取り出すことを確実に防ぎ、成人には容易に取り出すことができ、さらに、以下のような効果を有する。第２側面２４にカバー部２８が残っている時は、強い力で突出部３８ａを押しても取り出すことができず、子供が遊んでも錠剤４０の誤飲を防ぐことができる。錠剤４０を取り出すときは、押込部１８を押してカバー部２８の摘み部２８ａを立ち上げて摘みやすくすることができ、摘み部２８ａを摘んで引き起こす簡単な操作でカバー部２８を弱い力で外すことができる。摘み部２８ａを摘みやすくする開け口４５はＰＴＰシート３６の外側に位置し、ＰＴＰシート３６が支障とならず、摘み部２８ａを押して起こす操作が円滑に行われ、さらに開け口４５が深くて指を深く入れることができ、摘み部２８ａを簡単に摘むことができる。カバー部２８は、カバー部用半切り線３２と孔部用半切り線３４で周囲と区切られ、半切り線は弱い力で容易に切断され、簡単にカバー部２８を外して取出用開口形成部４６を開口し、突出部３８ａを押すだけで容易に取出用開口形成部４６からシート４２を破断して錠剤４０を取り出すことができる。また、糊４４は狭い面積に塗付されるため、組立工程が簡単で製造効率が良好である。第１側面１４の、押込部１８は一対の孔部１６の列の外側に設けられ、ＰＴＰシート３６の周縁部よりも外側に位置しているため、ＰＴＰシート３６は錠剤４０が１０個収容された一般的な商品を、追加加工することなくそのまま取り付けて使用することができる。取出用開口形成部４６の周縁部には剥離部４７が残り、剥離部４７は薄くて柔らかいため、指で触っても怪我をする恐れがなく安全である。
【００２５】
次にこの発明の第二実施形態について図５〜図８に基づいて説明する。なお、ここで、上記実施形態と同様の部材は同様の符号を付して説明を省略する。この実施形態のＰＴＰシート用包装体４８は、第１側面１４には、図５、図６に示すようにＰＴＰシート３６のプラスチック成形体３８の突出部３８ａが挿通される孔部１６のみが形成されている。孔部１６は、５個に並べられた列が２列、互いに平行に形成され、合計１０個の孔部１６が設けられている。
【００２６】
第２側面２４には、折罫線２６で第１側面１４に二つ折りした時に、孔部１６を覆うカバー部５０が設けられている。カバー部５０は、図５に示すように表面１２ａに、孔部１６の少し外側に沿って環状に円を描く１本のカバー部用半切り線５２で囲まれ、カバー部用半切り線５２の一対の端部は１対の列の外側に並んで位置している。カバー部用半切り線５２の一対の端部に連続して開け口５４が設けられている。開け口５４は、第２側面２４に開口された矩形の透孔であり、１０個のカバー部５０に各々対応して１個ずつ、計１０個が設けられ、１対の列の外側に５個ずつ並んで設けられている。カバー部５０の、カバー部用半切り線５２の一対の端部の間には、摘み部５０ａが設けられている。摘み部５０ａは、カバー部用半切り線５２の開け口５４の周縁部に連続しさらに開け口５４の中心に向かって三角形に突出している。開け口５４は、摘み部５０ａを摘みやすくする空間である。第２側面２４の裏面１２ｂのカバー部用半切り線５２は、裏面１２ｂに達していない。カバー部５０の内側には、折罫線２６で第１側面１４に二つ折りした時に、孔部１６の輪郭に対向する円形の孔部用半切り線５６が設けられている。孔部用半切り線５６は、台紙形成片１２の厚みの約半分を切断し表面１２ａに達しない半切り線である。
【００２７】
次に、ＰＴＰシート用包装体４８の組立方法について説明する。まず、台紙形成片１２を展開した状態で裏面１２ｂに糊４４を塗布する。糊４４は、第２側面２４の、開け口５４よりも外側に左右２箇所、折罫線２６に対して平行な直線で設けられている。糊４４は、両面テープを貼って設けてもよく、第１側面１４の、折罫線２６を挟んだ同じ位置に塗布してもよい。次に、台紙形成片１２の裏面１２ｂにＰＴＰシート３６をセットする。この時、ＰＴＰシート３６のプラスチック成形体３８の突出部３８ａを、台紙形成片１２の第１側面１４の孔部１６に差し込み、台紙形成片１２の表面１２ａへ突出させる。そして、折罫線２６を折り曲げて第２側面２４を第１側面１４に、裏面１２ｂ同士が合うように折り重ね、糊４４で接着され、図７に示すように包装が完了する。この時、プラスチック成形体３８のフランジ部３８ｂの周縁部は、開け口５４の内側で摘み部５０ａの頂部のわずかに外側に位置している。
【００２８】
ＰＴＰシート３６から錠剤４０を取り出すときは、図８に示すように第２側面２４の一つのカバー部５０に対向する開け口５４に指を入れ、開け口５４内に突出している摘み部５０ａを保持して、第２側面２４から引き離す。すると、カバー部用半切り線５２の基端部と、孔部用半切り線５６の間の切残部分５０ｂが切断されて、クリック感が発生したのち、弱い力でカバー部用半切り線５２と孔部用半切り線５６が切断されてカバー部５０が第２側面２４から外れる。第２側面２４のカバー部５０が外された部分の開口部は開け口５４に連通する取出用開口形成部５８となり、取出用開口形成部５８には、ＰＴＰシート３６のシート４２が露出する。取出用開口形成部５８の、孔部用半切り線５６とカバー部用半切り線５２、切残部分５０ｂで囲まれていた部分には、台紙形成片１２が作られている紙の表面１２ａが剥がされた剥離部４７となり、取出用開口形成部５８の周縁部に沿ってほぼ一定幅で残される。そして、ＰＴＰシート３６の突出部３８ａを第１側面１４側から押す。すると、錠剤４０がシート４２に押し付けられてシート４２が破断し、錠剤４０が取出用開口形成部５８から取り出される。なお、カバー部５０が第２側面２４に付いているときは、ＰＴＰシート３６の突出部３８ａを押しても錠剤４０を取り出すことができず、安全である。
【００２９】
この実施形態のＰＴＰシート用包装体４８によれば、上記の実施形態と同様の効果を有するものである。錠剤４０を取り出すときは、開け口５４に指を入れるだけで摘み部５０ａが摘みやすいものであり、簡単な操作で、カバー部５０を弱い力で外すことができる。
【００３０】
次にこの発明の第三実施形態について図９〜図１１に基づいて説明する。なお、ここで、上記実施形態と同様の部材は同様の符号を付して説明を省略する。この実施形態のＰＴＰシート用包装体６０は、第１側面１４には、ＰＴＰシート３６のプラスチック成形体３８の突出部３８ａが挿通される孔部１６のみが形成されている。孔部１６は、５個に並べられた列が２列、互いに平行に形成され、合計１０個の孔部１６が設けられている。
【００３１】
第２側面２４には、折罫線２６で第１側面１４に二つ折りした時に、孔部１６を覆うカバー部６４が設けられている。第２側面２４の、折罫線２６に対して平行な中心線に沿って、カバー部用全切り線６２が５個設けられ、各カバー部用全切り線６２の左右両側に連続して１０個のカバー部６４が５個ずつ２列に並んで設けられている。
【００３２】
カバー部６４は、図９に示すように表面１２ａに、カバー部用全切り線６２にほぼ直角に連続する、互いに平行な２本のカバー部用半切り線６６で囲まれ、カバー部用半切り線６６の先端は、折罫線２６または、第２側面２４の折罫線２６と反対側の側縁部２４ａに達している。カバー部６４は帯状であり、孔部１６に対向する部分は孔部１６の直径よりも少し大きい円形状に湾曲して幅広となり、その他の部分は孔部１６の直径よりも狭い一定の幅に形成されている。
【００３３】
折罫線２６側に位置する５個のカバー部６４の、折罫線２６側の端部は、外側に向かってわずかに湾曲され舌片状の摘み部６４ａとなる。摘み部６４ａの周囲には摘みやすくする空間である開け口６８が設けられ、開け口６８は、第２側面２４の摘み部６４ａの基端部から始まり、折罫線２６を超えて第１側面１４にわずかに突出する略矩形の透孔である。
【００３４】
第２側面２４の側縁部２４ａ側に位置する５個のカバー部６４の、側縁部２４ａ側の端部も、外側に向かってわずかに湾曲され舌片状の摘み部６４ａとなり、側縁部２４ａは、摘み部６４ａの両脇部分で略Ｖ字形に切り込まれて、摘みやすくする空間が設けられている。
【００３５】
第２側面２４の裏面１２ｂには、図１０に示すようにカバー部用全切り線６２と開け口６８が貫通して設けられ、側縁部２４ａは、各摘み部６４ａの両脇に沿って切り込まれている。カバー部用半切り線６６は、裏面１２ｂに達していない。カバー部６４の内側には、一対のカバー部用半切り線６６の少し内側に沿う孔部用半切り線７０が設けられている。孔部用半切り線７０は、カバー部用半切り線６６と同様に孔部１６に対向する幅広の部分が設けられ、幅広の部分は、孔部１６の輪郭に対向する円形に沿って形成されている。その他の部分は孔部１６の直径よりも狭い一定の幅に形成され、開け口６８または側縁部２４ａに達する直前に、互いの幅が広くなる方へ折り曲げられて摘み部６４ａに連続している。
【００３６】
次に、ＰＴＰシート用包装体６０の組立方法について説明する。まず、台紙形成片１２を展開した状態で裏面１２ｂに糊７２を塗布する。糊７２は、第２側面２４の、折罫線２６に隣接する辺以外の３辺に沿って、コの字形に設けられている。側縁部２４ａに隣接する辺には、５個のカバー部６４を除く短い点線状に塗付されている。次に、台紙形成片１２の裏面１２ｂにＰＴＰシート３６をセットする。そして、折罫線２６を折り曲げて第２側面２４を第１側面１４に、裏面１２ｂ同士が合うように折り重ね、糊７２で接着され、包装が完了する。この時、カバー部６４の摘み部６４ａは、第２側面２４の側縁部２４ａまたは折罫線２６にほぼ一致し、周囲に空間が設けられているため側方へわずかに突出し、掴みやすくなっている。
【００３７】
ＰＴＰシート３６から錠剤４０を取り出すときは、図１１に示すように第２側面２４の一つのカバー部６４の摘み部６４ａを保持して第２側面２４から引き離すと、カバー部用半切り線６６と孔部用半切り線７０が切断されて帯状のカバー部６４が第２側面２４から外れる。第２側面２４のカバー部６４が外された部分の開口部は取出用開口形成部７４となり、取出用開口形成部７４には、ＰＴＰシート３６のシート４２が露出する。そして、ＰＴＰシート３６の突出部３８ａを第１側面１４側から押す。すると、錠剤４０がシート４２に押し付けられてシート４２が破断し、錠剤４０が取出用開口形成部７４から取り出される。なお、カバー部６４が第２側面２４に付いているときは、ＰＴＰシート３６の突出部３８ａを押しても錠剤４０を取り出すことができず、安全である。
【００３８】
この実施形態のＰＴＰシート用包装体６０によれば、上記の実施形態と同様の効果を有するものである。錠剤４０を取り出すときは、摘み部６４ａが第２側面２４の側方に突出して摘みやすいものであり、簡単な操作でカバー部６４を弱い力で外すことができる。カバー部６４は帯状であり、保持しやすく、細かい操作ができない人にもカバー部６４を外すことができる。
【００３９】
なお、この発明のＰＴＰシート用包装体は、上記実施形態に限定されるものではなく、収容する錠剤の数は適宜変更可能であり、ＰＴＰシートの突出部の数に合わせて台紙形成片の孔部とカバー部の数を変更して簡単に対応することができる。ＰＴＰシートの素材は、いろいろなものに対応することができる。収容される錠剤は、薬剤に限らず他の商品でもよい。台紙形成片をつくるブランクシートは、フィルム貼りされたものや蒸着紙等、自由に選択可能であり、例えばフィルム貼りされているものを使用すると強度が高くなり、安全性が高いものとなる。
【符号の説明】
【００４０】
１０，４８，６０  ＰＴＰシート用包装体
１２  台紙形成片
１２ａ  表面
１２ｂ  裏面
１４  第１側面
１６  孔部
１８  押込部
２０  押込部用全切り線
２２  折曲用全切り線
２４  第２側面
２４ａ  側縁部
２６  折罫線
２８，５０，６４  カバー部
２８ａ，５０ａ，６４ａ  摘み部
２８ｂ，５０ｂ  切残部分
３０  カバー部用全切り線
３２，５２，６６  カバー部用半切り線
３４，５６，７０  孔部用半切り線
３６  ＰＴＰシート
３８  プラスチック成形体
３８ａ  突出部
３８ｂ  フランジ部
４０  錠剤
４２  シート
４４，７２  糊
４５，５４，６８  開け口
４７  剥離部
４６，５８，７４  取出用開口形成部
６２  カバー部用全切り線
【図１】
2015101393.tif 000003
【図２】
2015101393.tif 000004
【図３】
2015101393.tif 000005
【図４】
2015101393.tif 000006
【図５】
2015101393.tif 000007
【図６】
2015101393.tif 000008
【図７】
2015101393.tif 000009
【図８】
2015101393.tif 000010
【図９】
2015101393.tif 000011
【図１０】
2015101393.tif 000012
【図１１】
2015101393.tif 000013